(57)【特許請求の範囲】
【請求項１】
帯状体が取り付けられる雌部材と、
第１片部と第２片部とを有し前記第２片部の撓みにより前記第１片部及び前記第２片部の間に前記雌部材の一部を受け入れるように構成された雄部材とからなるバックルであって、
前記雌部材は、
少なくとも一つの帯状体を挿通した状態で、前記雄部材の前記第１片部を挿入可能なスロット部と、
前記雄部材の前記第１片部が前記スロット部に挿入されたときに前記第２片部に設けられた係合部が係合する被係合部と、
前記スロット部に前記第１片部及び前記帯状体を挿入する第１の開口と、
前記スロット部に前記第１の開口と平行に設けられ前記帯状体を挿通する第２の開口と
を有することを特徴とするバックル。
【請求項２】
前記雌部材は、
前記スロット部に挿通された前記帯状体に対して交差した状態で別の帯状体を挿通する取付部を備えた請求項１に記載のバックル。
【請求項３】
前記雌部材は、
前記スロット部に前記第１片部及び前記帯状体を挿入可能な開口を複数有する請求項１又は２に記載のバックル。
【請求項４】
前記スロット部の側面には、前記雄部材の前記第１片部をガイドする突条が設けられている請求項１〜３のいずれか１項に記載のバックル。
【請求項５】
前記第１片部及び前記帯状体を挿入する前記スロット部の側面であって、前記第１片部及び前記帯状体の端面に対向する角部には丸みが設けられている請求項１〜４のいずれか１項に記載のバックル。
【請求項６】
前記スロット部の側面であって前記雄部材を挿入する際に前記第１片部と当接する面の
うち該スロット部の開口側に設けられ前記雄部材の挿入方向に向かって傾斜する傾斜面、及び前記雄部材の前記第１片部の先端に設けられ前記雄部材の挿入方向に向かって傾斜する傾斜面のうち少なくとも一方を備えた請求項１〜５のいずれか１項に記載のバックル。
【請求項７】
前記雌部材は、
前記第１片部及び前記帯状体を挿入可能な開口から内側に向かって切り欠かれ、前記雄部材を受け入れるための切欠部を備えるとともに、前記切欠部が形成された端面が、前記切欠部を中心に窪んでいる請求項１〜６のいずれか１項に記載のバックル。
【発明の詳細な説明】
【技術分野】
【０００１】
この発明は、一方の帯状体が取り付けられた雄部材を、他方の帯状体が取り付けられた雌部材に締結させることで、各帯状体を接続するバックルに関する。
【背景技術】
【０００２】
鞄やバックパック等の装身具や、衣類等には、複数の帯状体を接続するためのバックルが設けられている。例えば、バックパックには、バックパックをユーザの身体にフィットさせる等の目的で、胸部を横切るように張設されるチェストストラップ等が設けられている。
【０００３】
このチェストストラップの一例として、特許文献１には、図１２に示すような構成のものが記載されている。このチェストストップは、一方のショルダーベルトＳに取り付けられた帯状体Ｂ１，Ｂ２と、該帯状体Ｂ１，Ｂ２を交差させて取り付けるクロスタイプの雌バックル１０１と、他方のショルダーベルトＳに取り付けられた帯状体Ｂ３と、該帯状体Ｂ３に取り付けられた雄バックル１０２とから構成されている。雌バックル１０１及び雄バックル１０２は樹脂からなり、雄バックル１０２の差込脚部１０３を撓ませながら雌バックル１０１の本体１０４に設けられた入込開口１０４ａに差し込んで係合させることで、雄バックル１０２と雄バックル１０２とを接続する。雌バックル１０１は、縦に延びる帯状体Ｂ１を通す通し部１０５と、横に延びる帯状体Ｂ２を通す通し部１０６とを備えている。尚、この雌バックルの構成としては、クロスタイプの他に、１本の帯状体のみを取り付け可能なストレートタイプもある。
【０００４】
このバックルは、雌バックル１０１が、雄バックル１０２の差込脚部１０３全体を受け入れる構成であるため、雌バックル１０１の本体１０４の厚さを差込脚部１０３以上の厚さにする必要があった。また、クロスタイプの雌バックル１０１では、本体１０４の下方に通し部１０６が設けられるため、雌バックル全体が厚さ方向に大型化していた。このため、バックルの雌部材に対しては、軽量化、美観の向上等を目的として、小型化が要請されている。
【０００５】
これに対し、特許文献２では、図１３に示すように、第１片部１１５と第２片部１１７とを有する雄部材１１０と、第１片部１１５を受け入れる雌部材１１２とを備えたバックルが記載されている。雄部材１１０及び雌部材１１２は、その端部に、帯状体Ｂ４，Ｂ５を取り付けるための取付部１１３，１１４を備えている。帯状体Ｂ４が取り付けられた雄部材１１０の第１片部１１５は、雌部材１１２の差し込み部１１６に挿入される。また雄部材１１０の第２片部１１７は、撓んだ状態で雌部材１１２の表面をスライドする。そして、受け入れ終了位置における撓み戻しにより、第２片部１１７に形成された係合部１１８と雌部材１１２の被係合部（図示略）とが係合されて、第２片部１１７が雌部材１１２の表面に固定される。このため、雄部材の差し込み部全体を雌部材に挿入する従来構成のバックルに比べ、第２片部１１７の厚み分だけ、雌部材１１２の高さ方向における小型化を図ることができる。
【先行技術文献】
【特許文献】
【０００６】
【特許文献１】特開２００５−１６０６８７号公報
【特許文献２】特開２００９−２８５０４２号公報
【発明の概要】
【発明が解決しようとする課題】
【０００７】
特許文献２に記載されたバックルの雌部材１１２は、高さ方向の小型化を実現することができるが、最近では、その幅方向においても小型化が要請されている。特に、図１１に示すバックルのように、雌部材が、帯状体を交差させて取り付けるための構成を有している場合には、１本分の帯状体を挿通する取付部を複数設けなければならず、その分、雌部材が大型化してしまう。
【０００８】
本発明は、上記問題点に鑑みてなされたものであり、その目的は、雌部材の小型化を図ることができるバックルを提供することにある。
【課題を解決するための手段】
【０００９】
上記問題点を解決するために、請求項１に記載の発明は、帯状体が取り付けられる雌部材と、第１片部と第２片部とを有し前記第２片部の撓みにより前記第１片部及び前記第２片部の間に前記雌部材の一部を受け入れるように構成された雄部材とからなるバックルであって、前記雌部材は、少なくとも一つの帯状体を挿通した状態で、前記雄部材の前記第１片部を挿入可能なスロット部と、前記雄部材の前記第１片部が前記スロット部に挿入されたときに前記第２片部に設けられた係合部が係合する被係合部と、前記スロット部に前記第１片部及び前記帯状体を挿入する第１の開口と、前記スロット部に前記第１の開口と平行に設けられ前記帯状体を挿通する第２の開口とを有することを要旨とする。
【００１０】
請求項１に記載の発明によれば、雌部材は、スロット部に帯状体と雄部材の第１片部とを挿入可能であるため、スロット部に挿通された帯状体を雌部材に取り付けるための取付部を、雌部材の側面から張り出すように設ける必要がない。このため、雌部材を幅方向に小型化することができる。また、雌部材は、その一部が、雄部材の第１片部と第２片部との間に受け入られることで雄部材に締結されるため、雄部材の厚さ方向における全体を雌部材に収容する従来構成のバックルに比べ、雌部材を薄型化することができる。従って、雌部材の小型化を図ることができる。また、スロット部は、第１片部及び帯状体を挿通する開口と帯状体を挿通する開口を平行に備えているので、帯状体をスロット部内で曲げることなく挿通することができる。このため、帯状体が挿通された雌部材の薄型化を向上することができる。
【００１１】
請求項２に記載の発明は、請求項１に記載のバックルにおいて、前記雌部材は、前記スロット部に挿通された前記帯状体に対して交差した状態で別の帯状体を挿通する取付部を備えたことを要旨とする。
【００１２】
請求項２に記載の発明によれば、雌部材は、スロット部に挿通した帯状体と上記取付部に挿通した帯状体とを交差した状態で固定するため、装身具等に取り付けられた雌部材の位置がずれにくくなり、雄部材を雌部材に対し締結又はリリースしやすくなる。また、この雌部材は、各帯状体を交差させて挿通する構成と、雄部材を締結する構成との両方を具備しているので、例えば装身具等に帯状体を公差させて挿通する部材と雄部材を締結するための部材との両方を設ける必要がなく、部品点数を低減することができる。
【００１５】
請求項３に記載の発明は、請求項１又は２に記載のバックルにおいて、前記雌部材は、前記スロット部に前記第１片部及び前記帯状体を挿入可能な開口を複数有することを要旨とする。
【００１６】
請求項３に記載の発明によれば、雌部材は、第１片部及び帯状体を挿入可能な開口を複数有するので、雄部材を複数の方向から挿入することができる。このため、バックルの自由度を向上することができる。
【００１７】
請求項４に記載の発明は、請求項１〜３のいずれか１項に記載のバックルにおいて、前記スロット部の側面には、前記雄部材の前記第１片部をガイドする突条が設けられていることを要旨とする。
【００１８】
請求項４に記載の発明によれば、雄部材の第１片部をスロット部に挿入する際に第１片部をガイドする突条が設けられているので、第１片部を位置決めしつつ、スロット部に挿入することができる。このため、雌部材を薄型化することで第１片部を挿入するスロット部の高さが低くなっても、第１片部が帯状体に引っ掛かったりすることなく、第１片部をスロット部に円滑に挿入することができる。
【００１９】
請求項５に記載の発明は、請求項１〜４のいずれか１項に記載のバックルにおいて、前記第１片部及び前記帯状体を挿入する前記スロット部の側面であって、前記第１片部及び前記帯状体の端面に対向する角部には丸みが設けられていることを要旨とする。
【００２０】
請求項５に記載の発明によれば、スロット部の開口側角部に丸みが設けられているので
、スロット部に帯状体が挿通されていても、雄部材の第１片部を受け入れやすくすることができる。
【００２１】
請求項６に記載の発明は、請求項１〜５のいずれか１項に記載のバックルにおいて、前記スロット部の側面であって前記雄部材を挿入する際に前記第１片部と当接する面のうち該スロット部の開口側に設けられ前記雄部材の挿入方向に向かって傾斜する傾斜面、及び前記雄部材の前記第１片部の先端に設けられ前記雄部材の挿入方向に向かって傾斜する傾斜面のうち少なくとも一方を備えたことを要旨とする。
【００２２】
請求項６に記載の発明によれば、上記スロット部の側面の開口側及び前記第１片部の先端の少なくとも一方に傾斜面が設けられているので、前記スロット部の開口側と前記第１片部とを徐々に当接させながら、雄部材を雌部材に挿入することができる。即ち、雄部材が挿入される角度がスロット部の中心軸に対して斜めであっても、雄部材を円滑に挿入することができる。
【００２３】
請求項７に記載の発明によれば、前記雌部材は、前記第１片部及び前記帯状体を挿入可能な開口から内側に向かって切り欠かれ、前記雄部材を受け入れるための切欠部を備えるとともに、前記切欠部が形成された端面が、前記切欠部を中心に窪んでいることを要旨とする。
【００２４】
請求項７に記載の発明によれば、雌部材には、上記切欠部に向かって窪んだ端面が設けられる。このため、雌部材に雄部材を挿入する際に、雄部材を切欠部の方向へとガイドすることができる。
【発明の効果】
【００２５】
以上のように、この発明によれば、雌部材の小型化を図ることができるバックルを提供することができるという効果を奏する。
【図面の簡単な説明】
【００２６】
【図１】本発明のバックルを具体化した一実施形態であって、チェストストラップを構成する締結状態のバックルの平面図。
【図２】同バックルの雌部材の斜視図。
【図３】（ａ）は同バックルの側面図、（ｂ）は同バックルの平面図。
【図４】（ａ）は同バックルの底面図、（ｂ）は横テープを挿通した同バックルの底面図。
【図５】同バックルの雄部材の斜視図。
【図６】同バックルの雄部材の側面図。
【図７】同バックルの底面図。
【図８】（ａ）は同バックルの雄部材を切欠部に挿入した状態、（ｂ）は雄部材の係合部が傾斜面を摺動した状態、（ｃ）は係合部が雌部材の被係合部に嵌合した状態を示す端面図。
【図９】（ａ）は同バックルの雌部材の平面図、（ｂ）は雌部材の側面図。
【図１０】本発明を具体化した第２実施形態の締結状態のバックルを示す平面図。
【図１１】本発明を具体化した別例の締結状態のバックルを示す平面図。
【図１２】従来のチェストストラップを構成するバックルを示す平面図。
【図１３】従来のバックルを示す側面図。
【発明を実施するための形態】
【００２７】
（第１実施形態）
以下、本発明のバックルを、バックパックのチェストストラップを構成するバックルに具体化した一実施形態について、図１〜図８に従って説明する。また、本実施形態のバックルは、雌部材に１対の帯状体を交差させて取り付けるクロスタイプのバックルである。
【００２８】
図１に示すように、バックルは、帯状体としての横テープ１２及び縦テープ１３が交差した状態で取り付けられる雌部材１１と、調節テープ１４が取り付けられる雄部材１５とを備えている。横テープ１２は、その長手方向が、ショルダーベルトＳの幅方向（短手方向）と平行となるように張設され、その端部がショルダーベルトＳに固定されている。縦テープ１３は、その長手方向が、ショルダーベルトＳの長手方向と平行となるように張設され、その端部がショルダーベルトＳに固定されている。縦テープ１３は、その長手方向と平行な縁が、ショルダーベルトＳに固定されていない状態で張設されており、登山用具等を取り付けるための他の種類のバックル等を固定することができるようになっている。
【００２９】
また、雄部材１５が固定された調節テープ１４は、その一端が、図示しない他方のショルダーベルトに固定されている。そして雄部材１５から引き出されるテープ長さを変更することにより、他方のショルダーベルトに固定されたテープ端部から雄部材１５までのテープ長さが調節される。さらに、テープ長さが調節された雄部材１５を、上記ショルダーベルトＳに固定された雌部材１１に締結することで、バックパックをユーザの身体にフィットさせるようにしている。
【００３０】
次に、雌部材１１について説明する。図２に示すように、雌部材１１は、偏平状に形成され、平面視においては矩形状をなしている。雌部材１１の内側には、横テープ１２を挿通するための第１スロット部２０が形成されている。第１スロット部２０は、雌部材１１の右端面１１ｂに開口２１を備えている。
【００３１】
また、第１スロット部２０を構成する開口２１側角部には、角Ｒ部２３が形成されている。開口２１側に角Ｒ部２３を設けることにより、横テープ１２及び雄部材１５を受け入れやすくしている。
【００３２】
また雌部材１１は、図３（ａ）に示すように、左端面１１ｃにも開口２２を備えている。この開口２２は、右端面１１ｂの開口２１に対して平行に設けられている。横テープ１２は、各開口２１，２２を介して第１スロット部２０に挿通される。
【００３３】
また、図３（ｂ）に示すように、雌部材１１は、その両側面に、１対の縦テープ取付部２４を備えている。縦テープ取付部２４は、雌部材１１の側面から略Ｌ字状に張り出し形成された第１フック２４ａと、第１フック２４ａと同一直線状に設けられた第２フック２４ｂとを備えている。第１フック２４ａ及び第２フック２４ｂと、雌部材１１の側壁との間には、縦テープ１３を挿通可能な第２スロット部２５が設けられている。また、第１フック２４ａ及び第２フック２４ｂとの間には、テープの厚みよりも若干大きい隙間が設けられ、第１フック２４ａ及び第２フック２４ｂの上記隙間側の端面は、傾斜面となっている。この隙間を介して、縦テープ１３を縦テープ取付部２４の側方から第２スロット部２５に挿入することができる。また、第１フック２４ａ及び第２フック２４ｂの端面を傾斜面にすることにより、第２スロット部２５に縦テープ１３を入れやすくしている。
【００３４】
また図４（ａ）に示すように、第１スロット部２０は、底面側開口１１ｅを介して開口している。縦テープ１３は、図４（ｂ）に示すように、図中上方に位置する縦テープ取付部２４において雌部材１１の平面から底面に向かって挿通され、底面側開口１１ｅを閉塞するように雌部材１１の底面を横切り、図中下方に位置する縦テープ取付部２４において雌部材１１の底面から平面に向かって挿通される。
【００３５】
また、図２に示すように、雌部材１１は、上壁部２６に、開口２１側から内側に向かって切り欠かれた切欠部２７を備えている。切欠部２７の終端部には、開口２１側に向かって傾斜する傾斜面２８が形成されている。さらに、上壁部２６の裏面であって、切欠部２７の両側には、開口２１に向かって拡開する傾斜面２９が形成されている。傾斜面２９は、雄部材１５の挿入方向に向かって傾斜している。さらに、図３（ｂ）に示すように、雌部材１１の開口２１側の端面１１ｒは、切欠部２７を中心として窪んだ曲面になっている。この端面１１ｒは、緩やかな円弧ＣＬに沿って湾曲し、切欠部２７の位置で最も窪んでいる。
【００３６】
また、上壁部２６であって、切欠部２７の近傍には、被係合部３０が貫通形成されている。切欠部２７、傾斜面２８及び被係合部３０の幅は、ほぼ同一に形成されるとともに、横テープ１２の挿通方向（図中Ｙ軸方向）と平行に一列に並んで形成されている。また、上壁部２６の裏面であって、被係合部３０から切欠部２７に向かう方向と反対方向（図中Ｙ軸方向）には、係止突部３１が形成されている。
【００３７】
図４（ａ）に示すように、上壁部２６の裏面であって係止突部３１の両側には、各突条３２が形成されている。各突条３２は、その長手方向が、横テープ１２及び雄部材１５の挿入方向（図中Ｙ軸方向）と平行に形成されている。この突条３２のうち、第１スロット部２０の開口２１側の先端には、傾斜面３２ａが形成されている。
【００３８】
次に、雄部材１５について説明する。図５に示すように、雄部材１５は、調節テープ取付部４０を備え、調節テープ取付部４０は、第１挿入孔４１及び第２挿入孔４２を有している。第１挿入孔４１及び第２挿入孔４２は、雄部材１５の上面から下面に向かって貫通形成されている。また、第１挿入孔４１のうち、右端面１５ａ側には、雄部材１５の下面に向かって傾斜する傾斜面４１ａが形成されている。
【００３９】
調節テープ１４は、第１挿入孔４１の下部開口から上部開口を通り、第２挿入孔４２の上部開口から下部開口に向かって通される。そして、第２挿入孔４２から引き出された調節テープ１４は、雄部材１５の底面側において、第１挿入孔４１から引き出された調節テープ１４と平行に延ばされる。
【００４０】
また、雄部材１５は、調節テープ取付部４０から延出形成された第１片部５１と、第２片部５２とを備えている。図６に示すように、第１片部５１及び第２片部５２は、空間５３を介して平行に設けられている。
【００４１】
雄部材１５は、雌部材１１の切欠部２７及び上壁部２６の一部を空間５３に挟んだ状態で、雌部材１１に固定される。即ち、雌部材１１の第１スロット部２０は、横テープ１２を挿通した状態で、雄部材の第２片部５２を受け入れ可能な高さに形成されている。また、第１片部５１は、雌部材１１の第１スロット部２０に挿入され、第２片部５２は雌部材１１の上壁部２６の表面に固定される。
【００４２】
第１片部５１は、略平板状に形成され、その先端に、雄部材１５の下面に向かって傾斜する傾斜面５１ａを備えている。即ち、傾斜面５１ａは、雌部材１１への挿入方向に向かって傾斜している。また、図７に示すように、第１片部５１は、その中央に貫通孔５１ｂを有している。この第１片部５１の長さＬ１は、図４（ａ）に示す雌部材１１の開口２１から、第１スロット部２０内に設けられた係止突部３１の先端までの長さＬ２とほぼ同一となっている。また、図７に示す第１片部５１の幅Ｗ１は、図４（ａ）に示す各突条３２の間の幅Ｗ２とほぼ同一となっている。即ち、第１片部５１は、第１スロット部２０内であって、各突条３２の間に挿入され、その先端が係止突部３１に当接までスライド可能となっている。
【００４３】
第２片部５２は、図５に示すように、その上面に凹部５５を備えるとともに、先端には上方に反り上がるように形成された操作部５６を備えている。この凹部５５は、人差し指や親指の指先とほぼ同じ大きさに形成されている。
【００４４】
また、図６に示すように、第２片部５２の裏面には、略板状の係合部５７が突出形成されている。係合部５７は、上記空間５３の高さよりも小さく形成され、係合部５７と第１片部５１との間に設けられる隙間の高さは、雌部材１１の上壁部２６の厚さよりも小さい。係合部５７は、図７に示すように、第２片部５２の裏面に対し垂直に形成され、第２片部５２の幅方向に延びている。また、係合部５７のうち操作部５６側の側面からは、リブ５８が形成されている。
【００４５】
（作用）
次に、バックルの作用について説明する。まず図８（ａ）に示すように、雌部材１１の開口２１，２２を介して第１スロット部２０に横テープ１２を挿通する。このとき、雌部材１１の開口２１側には、角Ｒ部２３が形成されているので、横テープ１２を挿通しやすい。また、縦テープ取付部２４の第２スロット部２５に縦テープ１３を挿通する。さらに、雄部材１５の調節テープ取付部４０に調節テープ１４を挿通する。
【００４６】
さらに横テープ１２及び縦テープ１３を挿通した雌部材１１の開口２１と、調節テープ１４を挿通した雄部材１５の第１片部５１の先端とを対向させる。そして雄部材１５の第１片部５１を、雌部材１１の第１スロット部２０内であって、横テープ１２の上方に挿入する。この際、上記したように、雌部材１１の端面１１ｒは、切欠部２７を中心として窪んだ曲面となっている。このため、雄部材１５を雌部材１１に挿入する際に、雄部材１５の先端が、切欠部２７から逸れて端面１１ｒに押し付けられても、雄部材１５を端面１１ｒの横方向に沿って滑らせて、切欠部２７の方向へ導くことができる。
【００４７】
また、雌部材１１の開口側には傾斜面２９が設けられ、雄部材１５の第１片部５１には、傾斜面５１ａが設けられているため、雄部材１５は、第１片部５１を雌部材１１の傾斜面２９に徐々に当接させながら、雌部材１１に挿入されていく。即ち、雄部材１５が、該雄部材１５の第１スロット部２０への挿入方向（スロット部２０の一方の開口２１から他方の開口２２へ向かう方向）に対して、上下方向に対し斜めに挿入された場合でも、雄部材１５を円滑に挿入することができる。
【００４８】
そして第１片部５１は、第１スロット部２０内に形成された突条３２の傾斜面３２ａから、突条３２の間に導かれ、突条３２によって挟持されることにより、第１スロット部２０内に位置決めされる。また、雌部材１１の開口２１及び第１スロット部２０の高さは、横テープ１２の厚みと第１片部５１の厚みを加算した長さより若干長く形成されている。このため、第１片部５１は、第１スロット部２０内に挿通された横テープ１２を不要に動かすことなく挿入されていく。また、突条３２には、傾斜面３２ａが形成され、雌部材１１の開口２１側には、角Ｒ部２３及び傾斜面２９が形成されているので、第１片部５１が挿入されやすい。
【００４９】
一方、雄部材１５の第２片部５２は、雌部材１１の切欠部２７に挿入される。このとき第２片部５２の係合部５７は、切欠部２７の終端に設けられた傾斜面２８に当接する。
さらに雄部材１５を雌部材１１に対して押し込むと、図８（ｂ）に示すように、傾斜面２８に当接していた係合部５７が傾斜面２８を被係合部３０に向かって摺動する。またそれに伴い、雄部材１５の第２片部５２が傾斜面２８から反り返るように撓む。このとき、第１片部５１は、突条３２にガイドされながら雌部材１１の上壁部２６の裏面をスライドしていく。
【００５０】
図８（ｂ）に示す状態から、さらに雄部材１５を押圧していくと、雄部材１５の係合部５７が傾斜面２８の頂部まで到達する。そして、係合部５７が、雌部材１１の被係合部３０の位置まで到達すると、図８（ｃ）に示すように、第２片部５２の復元力により、係合部５７が被係合部３０に挿入され、雄部材１５が雌部材１１に締結される。この係合部５７及び被係合部３０の係合により、第２片部５２を撓ませずに雄部材１５を雌部材１１から引き抜こうとしても、係合部５７と被係合部３０との係合により抜出することができない。
【００５１】
雌部材１１及び雄部材１５を締結を解除する場合には、雄部材１５の操作部５６に対し、雌部材１１から離間させる方向の力を加える。例えば操作部５６の裏面を指で押して、操作部５６を雌部材１１から引き離すように押圧する。このような力を加えることによって、雄部材１５の第２片部５２が反り返るように撓み、雄部材１５の係合部５７が雌部材１１の被係合部３０から抜出される。この状態を保持しつつ、雄部材１５を雌部材１１から離間する方向にスライドさせることにより、締結が解除される。
【００５２】
このように雌部材１１は、横テープ１２を、第１スロット部２０に対し、途中で曲げたりすることなく平らに延ばした状態で挿通するので、横テープ１２を取り付けるための取付部を雌部材１１の下方等に設ける必要がない。また、雄部材１５の第１片部５１を挿入する第１スロット部２０内に、横テープ１２を相通する空間を確保しても、横テープ１２は１ｍｍ程度又はそれ以下の厚さであって薄いため、その空間を設けることで雌部材１１が高さ方向に大型化されない。従って、雌部材１１を高さ方向だけでなく、横テープ１２の取付部の分だけ幅方向に小型化することができる。このため、バックパックのショルダーベルトＳの表面からの雌部材１１の突出量が小さくなるため、ユーザの手が引っ掛かりにくくするとともに、美観を向上させることができる。さらに、上記したように縦テープ１３には、いわゆるＤ環等のバックルが設けられ、そのバックルに登山用品が取り付けられることがあるため、雌部材１１にそれらの登山用品が引っ掛かかりにくくなる。
【００５３】
第１実施形態によれば、以下のような効果を得ることができる。
（１）第１実施形態では、雌部材１１は、上壁部２６の一部が、雄部材１５の第１片部５１と第２片部５２との間に受け入られることで雄部材１５に締結されるため、雄部材１５の差込部の全体を雌部材に収容する従来構成のバックルに比べ、雌部材１１を薄型化することができる。また、雌部材１１は、第１スロット部２０に横テープ１２と雄部材１５の第１片部５１とを挿入可能であるため、横テープ１２を雌部材１１に取り付けるための取付部を雌部材１１から張り出すように設ける必要がない。このため、雌部材１１を横テープ１２の長手方向と平行な幅方向に小型化することができる。
【００５４】
（２）第１実施形態では、雌部材１１は、横テープ１２及び縦テープ１３を交差した状態で固定するため、バックパックのショルダーベルトＳ上で雌部材１１の位置がずれにくくなり、雄部材１５を雌部材１１に対し締結又はリリースしやすくなる。また、従来構成のクロスタイプの雌部材は、１本分の帯状体を取り付ける取付部をその側面や底面に複数設けているため大型化しやすいが、第１実施形態では、雌部材１１の第１スロット部２０に横テープ１２を挿通するため、薄型化の点で特に効果を発揮することができる。
【００５５】
（３）第１実施形態では、第１スロット部２０は、横テープ１２を挿通する各開口２１，２２を平行に備えているので、横テープ１２を第１スロット部２０内で曲げることなく挿通できる。このため、第１スロット部２０内の横テープ１２の占有空間を必要最小限にすることができる。また、横テープ１２は、雌部材１１の表面から引き出されず、右端面１１ｂ及び左端面１１ｃから引き出されるため、テープをも含めたバックルの高さを低くすることができる。
【００５６】
（４）第１実施形態では、第１スロット部２０の開口側の角部には、角Ｒ部２３が設けられているので、横テープ１２を受け入れやすくすることができる。また、第１スロット部２０に横テープ１２が挿通されていても、雄部材１５の第１片部５１を受け入れやすくすることができる。
【００５７】
（５）第１実施形態では、第１スロット部２０の側面には、雄部材１５の第１片部５１を挟持可能な突条３２が設けられているので、第１片部５１を第１スロット部２０内で位置決めしながら挿入することができる。このため、第１片部５１を挿入するための空間を必要最小限にすることができる。また、第１片部５１を第１スロット部２０に挿入する際に、第１スロット部２０に挿通された横テープ１２がずれたり、撚れたりすることがない。
【００５８】
（６）第１実施形態では、雌部材１１は、第１スロット部２０の上壁部２６の裏面に、雄部材１５の挿入方向に向かって傾斜した傾斜面２９を有している。また、雄部材１５の第１片部５１の先端には、雄部材１５の挿入方向に向かって傾斜した傾斜面５１ａが設けられている。このため、雄部材１５を雌部材１１に挿入する際には、第１スロット部２０の開口側と第１片部５１とを徐々に当接させながら、雄部材１５を挿入することができる。即ち、雄部材１５が挿入される角度が第１スロット部２０の中心軸に対して斜めであっても、雄部材１５を円滑に挿入することができる。
【００５９】
（７）第１実施形態では、雌部材１１には、雄部材１５を受け入れる切欠部２７を中心に窪んだ端面１１ｒが設けられる。従って、雌部材１１に雄部材１５を挿入する際に、雄部材１５を切欠部２７の方向へと導くことができるため、雄部材１５を雌部材１１に挿入する際の操作性を向上することができる。
【００６０】
（第２実施形態）
次に、本発明を具体化した第２実施形態を図９及び図１０にしたがって説明する。尚、第２実施形態は、第１実施形態の雌部材の一部を変更したのみの構成であるため、同様の部分についてはその詳細な説明を省略する。
【００６１】
図９（ａ）に示すように、本実施形態の雌部材１１は、被係合部３０の両側に、第１実施形態に記載された切欠部２７と、左端面１１ｃから切り欠くように形成された切欠部６０とを備える。切欠部６０は、図中右側の切欠部２７と同一形状に形成されている。また、被係合部３０から右端面１１ｂまでの距離Ｌ３と、被係合部３０から左端面１１ｃまでの距離Ｌ４は、同一となっている。
【００６２】
図９（ｂ）に示すように、雌部材１１の左端面１１ｃには、右端面に形成された開口２１と同一形状の開口６２が形成されている。即ち、この開口６２には、横テープ１２と、第１実施形態に記載された雄部材１５の第１片部５１が挿入可能となっている。
【００６３】
この雌部材１１は、第１実施形態に記載したように切欠部２７から雄部材１５を挿入可能なだけでなく、図１０に示すように、左端面に形成された切欠部６０からも雄部材１５を挿入可能となっている。即ち、雌部材１１は、両側から雄部材１５を挿入可能な構成となっている。
【００６４】
従って、第２実施形態によれば、第１実施形態の（１）〜（６）に記載の効果に加えて以下の効果を得ることができる。
（７）第２実施形態では、雌部材１１は、第１スロット部２０に、雄部材１５の第１片部５１及び横テープ１２を挿入可能な開口２１，６２を備えたので、雄部材１５を複数の方向から挿入することができる。このため、バックルの自由度を向上することができる。
【００６５】
尚、上記実施形態は以下のように変更してもよい。
・上記実施形態では、雄部材１５を雌部材１１に対し円滑に挿入するために、雌部材１１の傾斜面２９及び雄部材１５の傾斜面５１ａの両方を設けたが、いずれか一方だけ設けても、雄部材１５を雌部材１１に円滑に挿入することができる。
【００６６】
・上記実施形態では、本発明のバックルを、クロスタイプのバックルに具体化したが、ストレートタイプのバックルに具体化してもよい。この場合、図１１に示すように、雌部材１１は、縦テープ取付部２４を省略した構成になる。この場合には、横テープ１２の幅方向にも雌部材１１が小型化することができる。
【００６７】
・第２実施形態では、１対の切欠部２７，６０を設け、被係合部３０を１つだけ形成したが、一方の切欠部２７に隣接する被係合部３０と、他方の切欠部２７に隣接する被係合部とを雌部材１１に設けるようにしてもよい。
【００６８】
・上記各実施形態では、雌部材１１の第１スロット部２０に横テープ１２のみを挿通したが、雌部材１１に、第１スロット部２０に連通した開口を設け、この開口に縦テープ１３を挿通してもよい。この場合、縦テープ取付部２４は省略することができる。
【００６９】
・上記各実施形態では、バックルを、チェストストラップを構成するバックルに具体化したが、他の装身具等に用いられるバックルに具体化してもよい。
【符号の説明】
【００７０】
１１…雌部材、１１ｒ…端面、１２…帯状体としての横テープ、１３…帯状体としての縦テープ、１５…雄部材、２０…第１スロット部、２４…縦テープ取付部、２１…開口、２２…開口、２３…角Ｒ部、２７，６０…切欠部、２８，２９，３２ａ，４１ａ，５１ａ…傾斜面、３０…被係合部、３２…突条、５１…第１片部、５２…第２片部、５７…係合部。
【図１】
0005851109.tif 000002
【図２】
0005851109.tif 000003
【図３】
0005851109.tif 000004
【図４】
0005851109.tif 000005
【図５】
0005851109.tif 000006
【図６】
0005851109.tif 000007
【図７】
0005851109.tif 000008
【図８】
0005851109.tif 000009
【図９】
0005851109.tif 000010
【図１０】
0005851109.tif 000011
【図１１】
0005851109.tif 000012
【図１２】
0005851109.tif 000013
【図１３】
0005851109.tif 000014